(57)【要約】【課題】鉄塔の地際部に堆積する土砂や塵芥を抑制することができる土砂堆積抑制装置を提供する。【解決手段】土砂堆積抑制装置１０は、降水によって受けた雨水を、鉄塔１の主柱材４とコンクリート基礎部２との接続部分である地際部７に注水する雨受部１１と、雨受部１１を支持する脚部１２と、を備える。【選択図】図９
2018053681.tif 000002
【特許請求の範囲】
【請求項１】
降水によって受けた雨水を、鉄塔の主柱材とコンクリート基礎部との接続部分である地際部に注水する雨受部と、
前記雨受部を支持する脚部と、
を備える
土砂堆積抑制装置。
【請求項２】
前記主柱材は、Ｌ字状の断面を有し、
前記雨受部は、
前記主柱材のＬ字状の内側の２辺に対向する前記コンクリート基礎部の２辺に跨って設けられたＬ字状の集水部と、
前記集水部の内角部に設けられ、前記主柱材の内角部に向けて注水する注水部と、
を備える
請求項１に記載の土砂堆積抑制装置。
【請求項３】
前記集水部は、
前記主柱材に向けて下がり傾斜した板状の第１傾斜部材と、
前記第１傾斜部材の下端部に設けられた雨水流路と、
前記雨水流路の前記第１傾斜部材側とは反対側の端部に設けられ、上方に立ち上がる第１雨水止め部と、
を備え、
前記注水部は、
前記主柱材の内角部に向けて下がり傾斜した板状の第２傾斜部材と、
前記第１雨水止め部に連なって設けられ、上方に立ち上がる第２雨水止め部と、
を備える
請求項２に記載の土砂堆積抑制装置。
【請求項４】
前記雨受部は、前記コンクリート基礎部の上端よりも高い位置に設けられている
請求項１から請求項３の何れか一項に記載の土砂堆積抑制装置。
【請求項５】
前記脚部は、板状の部材である
請求項１から請求項４の何れか一項に記載の土砂堆積抑制装置。
【請求項６】
前記脚部は、前記コンクリート基礎部との間にスペーサ部材を介して固定されている
請求項１から請求項５の何れか一項に記載の土砂堆積抑制装置。
【発明の詳細な説明】
【技術分野】
【０００１】
本発明は、土砂堆積抑制装置に関する。
【背景技術】
【０００２】
例えば、鉄塔敷地や主柱材の腐食を防止することを目的として、鉄塔を伝う雨水を排水槽に排水する技術が開示されている（例えば、特許文献１）。
【０００３】
また、例えば、鉄塔のコンクリート基礎部の湿潤による腐食を防ぐことを目的として、鉄塔の柱材を伝う雨水を集水して排水すると共に、コンクリート基礎部に塵芥除けを設けた技術が開示されている（例えば、特許文献２）。
【先行技術文献】
【特許文献】
【０００４】
【特許文献１】特開２０１４−０９５２５０号公報
【特許文献２】特開２００８−１８００３２号公報
【発明の概要】
【発明が解決しようとする課題】
【０００５】
上記特許文献１に記載された技術では、鉄塔の主柱材とコンクリート基礎部との接続部分である地際部に土砂や塵芥が堆積し、堆積した土砂や塵芥に雨水が浸透して湿潤状態が保たれ、鉄塔の主柱材の腐食や発錆を招く可能性がある。また、上記特許文献２に記載された技術では、コンクリート基礎部に設けた塵芥除けによって、鉄塔の地際部に堆積した土砂や塵芥を取り除くことが困難となる可能性がある。
【０００６】
本発明は、上記に鑑みてなされたものであって、鉄塔の地際部に堆積する土砂や塵芥を抑制することができる土砂堆積抑制装置を提供する。
【課題を解決するための手段】
【０００７】
上述した課題を解決し、目的を達成するために、本発明の土砂堆積抑制装置は、降水によって受けた雨水を、鉄塔の主柱材とコンクリート基礎部との接続部分である地際部に注水する雨受部と、前記雨受部を支持する脚部と、を備える。
【０００８】
本発明の望ましい態様として、前記主柱材は、Ｌ字状の断面を有し、前記雨受部は、前記主柱材のＬ字状の内側の２辺に対向する前記コンクリート基礎部の２辺に跨って設けられたＬ字状の集水部と、前記集水部の内角部に設けられ、前記主柱材の内角部に向けて注水する注水部と、を備える。
【０００９】
本発明の望ましい態様として、前記集水部は、前記主柱材に向けて下がり傾斜した板状の第１傾斜部材と、前記第１傾斜部材の下端部に設けられた雨水流路と、前記雨水流路の前記第１傾斜部材側とは反対側の端部に設けられ、上方に立ち上がる第１雨水止め部と、を備え、前記注水部は、前記主柱材の内角部に向けて下がり傾斜した板状の第２傾斜部材と、前記第１雨水止め部に連なって設けられ、上方に立ち上がる第２雨水止め部と、を備える。
【００１０】
本発明の望ましい態様として、前記雨受部は、前記コンクリート基礎部の上端よりも高い位置に設けられている。
【００１１】
本発明の望ましい態様として、前記脚部は、板状の部材である。
【００１２】
本発明の望ましい態様として、前記脚部は、前記コンクリート基礎部との間にスペーサ部材を介して固定されている。
【発明の効果】
【００１３】
本発明によれば、鉄塔の地際部に土砂や塵芥が堆積することを防止することができる土砂堆積抑制装置を提供することができる。
【図面の簡単な説明】
【００１４】
【図１】図１は、実施形態に係る土砂堆積抑制装置の設置対象となる鉄塔の一例を示す図である。
【図２】図２は、図１に示す領域ｂの上面図である。
【図３】図３は、鉄塔設置時におけるコンクリート基礎部周辺の上面図である。
【図４】図４は、図３に示すＡ矢示方向から見た側面図である。
【図５】図５は、鉄塔設置から所定期間経過後におけるコンクリート基礎部周辺の上面図である。
【図６】図６は、図５に示すＡ矢示方向から見た側面図である。
【図７】図７は、実施形態に係る土砂堆積抑制装置を設置したコンクリート基礎部周辺の鉄塔設置時における上面図である。
【図８】図８は、図７に示すＡ矢示方向から見た側面図である。
【図９】図９は、図７に示すＣ矢示方向から見た側面図である。
【図１０】図１０は、鉄塔設置時において実施形態に係る土砂堆積抑制装置を設置したコンクリート基礎部周辺の鉄塔設置から所定期間経過後における上面図である。
【図１１】図１１は、図１０に示すＣ矢示方向から見た鉄塔設置から所定期間経過後における側面図である。
【発明を実施するための形態】
【００１５】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１６】
図１は、実施形態に係る土砂堆積抑制装置の設置対象となる鉄塔の一例を示す図である。鉄塔１は、例えば送電線が架設される送電線鉄塔である。本実施形態に係る土砂堆積抑制装置の設置対象となる鉄塔１は、例えば４本の主柱材４が鉄塔敷地ａの４隅に設けられた４個のコンクリート基礎部２によって地面３に支持されている。以下、主柱材４とコンクリート基礎部２との接続部分を「地際部」７と称する。なお、コンクリート基礎部２及び主柱材４の数はこれに限るものではなく、３つであってもよいし、５つ以上の複数であってもよい。
【００１７】
鉄塔１は、その他の柱材として、主柱材４同士を連結する水平桁材５、及び主柱材４、水平桁材５同士を連結する斜材６を備えて構成される。図１に示す鉄塔１において、主柱材４は、鉛直方向に対して所定の角度を有している。本実施形態において、主柱材４は、断面がＬ字状となる山形鋼（アングル材）が使用される。水平桁材５及び斜材６の各柱材は、山形鋼又はパイプ状の鋼管が使用される。
【００１８】
鉄塔１は、例えば山の斜面に設けられる。この鉄塔１を水平面３ａに対して鉛直に設けるためには、複数（ここでは、４つ）のコンクリート基礎部２を水平面３ａに対して水平設置する必要がある。このとき、鉄塔敷地ａの全面を整地することは稀であり、一般に、コンクリート基礎部２が設置される場所の地面が掘り返され、整地される。そして、整地された水平面３ａにコンクリート基礎部２が設置される。このとき、鉄塔敷地ａ内の主柱材４で囲われる領域ｂに盛土３ｂが形成される場合がある。
【００１９】
図２は、図１に示す領域ｂの上面図である。本実施形態において、鉄塔１を構成する複数のＬ字状の各主柱材４の内角は、領域ｂを形成する多角形の内角と一致している。図２に示す例では、４本の主柱材４がそれぞれ４つのコンクリート基礎部２によって地面３に支持されており、主柱材４のＬ字状の内角が４本の主柱材４で囲われる四角形の内角と一致している。
【００２０】
図３は、鉄塔設置時におけるコンクリート基礎部周辺の上面図である。図４は、図３に示すＡ矢示方向から見た側面図である。図５は、鉄塔設置から所定期間経過後におけるコンクリート基礎部周辺の上面図である。図６は、図５に示すＡ矢示方向から見た側面図である。なお、図３、図４、図５、図６に示す例では、図２の領域ｃに示すコンクリート基礎部２の周辺を示している。
【００２１】
鉄塔１の設置時においては、図３、図４に示すように、コンクリート基礎部２の周辺の地面３は整地されていても、風雨によってＬ字状の各主柱材４の内側である各主柱材４の内角部の地際部７に、塵芥が溜まり易く、湿潤状態が保たれ易い。これにより、各主柱材４の内角部の地際部７において、主柱材４の腐食や発錆が生じる可能性がある。
【００２２】
また、時間の経過と共に風雨によって盛土３ｂの法面が崩れ、図５、図６に示すように、地際部７が盛土３ｂの法面の崩落によって生じた土砂３ｃや塵芥に埋没することがある。この地際部７に堆積した土砂３ｃや塵芥によって、地際部７の湿潤状態が保たれる。これにより、各主柱材４の内角部の地際部７において、主柱材４の腐食や発錆が生じる可能性がある。また、Ｌ字状の各主柱材４の内角部に溜まった土砂３ｃや塵芥の除去に手間が掛かる。
【００２３】
図７は、実施形態に係る土砂堆積抑制装置を設置したコンクリート基礎部周辺の鉄塔設置時における上面図である。図８は、図７に示すＡ矢示方向から見た側面図である。図８に示す例において、実施形態に係る土砂堆積抑制装置１０及び盛土３ｂは、図７に示すＢ−Ｂ矢示断面図を示している。図９は、図７に示すＣ矢示方向から見た側面図である。図９に示す例において、実施形態に係る土砂堆積抑制装置１０及び盛土３ｂは、図７に示すＤ−Ｄ矢示断面図を示している。なお、図７、図８、図９に示す例では、図２の領域ｃに示すコンクリート基礎部２の周辺を示している。
【００２４】
図７、図８、及び図９に示すように、本実施形態に係る土砂堆積抑制装置１０は、雨受部１１と、この雨受部１１を支持する脚部１２とを備えている。図７に示すように、雨受部１１は、集水部１１ａと、注水部１１ｅとを備えている。
【００２５】
図３及び図４に示すように、コンクリート基礎部２は、上面視において４辺を有している四角錐台形状を有している。本実施形態において、雨受部１１は、図７に示すように、上面視において主柱材４のＬ字状の内側の２辺に対向するコンクリート基礎部２の２辺に跨って設けられたＬ字状の形状を有する集水部１１ａを備えている。このように、集水部１１ａは、上面視において、コンクリート基礎部２の２辺に沿って、設けられている。図７に示す例では、集水部１１ａは、上面視において、コンクリート基礎部２の２辺に重ねて設けているが、コンクリート基礎部２の２辺の外側に設けても良い。
【００２６】
集水部１１ａは、第１傾斜部材１１ｂと、雨水流路１１ｃと、第１雨水止め部１１ｄとを備えている。図８に示すように、第１傾斜部材１１ｂは、主柱材４に向けて下がり傾斜した板状の部材１１ｂである。雨水流路１１ｃは、この第１傾斜部材１１ｂの下端部に水平に設けられた板状の部材である。第１雨水止め部１１ｄは、この雨水流路１１ｃの第１傾斜部材１１ｂ側とは反対側の端部が上方（ここでは、垂直方向）に立ち上がり、雨水の流出を止めている。
【００２７】
また、図７に示すように、注水部１１ｅは、集水部１１ａで集水した雨水を、主柱材４の内角部の地際部７に向けて注水する導水路である。図７及び図９に示すように、注水部１１ｅは、第２傾斜部材１１ｆと、第２雨水止め部１１ｇとを備えている。第１傾斜部材１１ｂと、雨水流路１１ｃと、第１雨水止め部１１ｄと、第２傾斜部材１１ｆと、第２雨水止め部１１ｇとは、金属板を折り曲げ加工することで、一体形成される。第１傾斜部材１１ｂと、雨水流路１１ｃと、第１雨水止め部１１ｄと、第２傾斜部材１１ｆと、第２雨水止め部１１ｇとは、プラスチックの一体成形で形成されていてもよい。第１傾斜部材１１ｂと、雨水流路１１ｃと、第１雨水止め部１１ｄと、第２傾斜部材１１ｆと、第２雨水止め部１１ｇとは、組み立て加工されてもよいが、雨受部１１が一体成形されていると、雨受部１１のコストが下がるのでより好ましい。
【００２８】
第２傾斜部材１１ｆは、図９に示すように、主柱材４に向けて下がり傾斜した板状の部材である。第２傾斜部材１１ｆは、図７に示すように、集水部１１ａのＬ字状の内角部分で雨水流路１１ｃと接続されている。第２雨水止め部１１ｇは、注水部１１ｅが上方（ここでは、垂直方向）に立ち上がり、雨水の流出を止めている。第１雨水止め部１１ｄと第２雨水止め部１１ｇとは連なって設けられているので、雨水流路１１ｃの水が、注水部１１ｅへ流れる。
【００２９】
注水部１１ｅの先端部分は、コンクリート基礎部２の上端よりも高い位置となるように設けられる。すなわち、雨受部１１を構成する集水部１１ａ、第１傾斜部材１１ｂ、雨水流路１１ｃ、第１雨水止め部１１ｄ、注水部１１ｅ、第２傾斜部材１１ｆ、第２雨水止め部１１ｆは、コンクリート基礎部２の上端よりも高い位置に設けられる。
【００３０】
脚部１２は、例えば板状の部材であって、集水部１１ａが設けられるコンクリート基礎部２の２辺に設けられる。この脚部１２は、上端部に雨受部１１が設けられると共に、下端部１２ａがコンクリート基礎２の周辺部に埋設されて雨受部１１を支持している。脚部１２は、金属板を折り曲げ加工することで、一体形成される。なお、脚部１２は、プラスチックの一体成形で形成されていてもよい。
【００３１】
脚部１２は、コンクリート基礎部２との間にスペーサ部材１３が設けられ、例えばステンレス製の締結部材１４によってコンクリート基礎２に固定されている。なお、脚部１２の下端部１２ａは、脚部１２から地中に延びる板状の形状であってもよいし、脚部１２に設けられた杭状の別部材であってもよい。
【００３２】
本実施形態では、上述したように構成した土砂堆積抑制装置１０を設置し、降水によって本実施形態に係る土砂堆積抑制装置１０の雨受部１１に降り注いだ雨水を、主柱材４の内角部の地際部７、より具体的には、主柱材４のＬ字状の内角部のコンクリート基礎部２との境界付近に集中的に注水する。これにより、主柱材４の内角部の地際部７に塵芥が溜まるのを抑制することができる。以下、降水によって雨受部１１が受ける雨水の流れについて説明する。なお、図７及び図９に示す例では、降水によって雨受部１１が受ける雨水の流れを矢示している。
【００３３】
鉄塔１が設置された地域で雨が降ると、図９に示すように、雨水は、雨受部１１の全面に降り注ぐ。
【００３４】
集水部１１ａの第１傾斜部材１１ｂに降り注いだ雨水は、図７及び図９に示すように、第１傾斜部材１１ｂの下がり傾斜に沿って第１傾斜部材１１ｂから雨水流路１１ｃに流れ込む。第１雨水止め部１１ｄは、雨水流路１１ｃに流れ込んだ雨水の流出を止める。
【００３５】
第１傾斜部材１１ｂに降り注いだ雨水は、雨水流路１１ｃに降り注いだ雨水と共に、第１雨水止め部１１ｄに沿って、集水部１１ａのＬ字形状の内角部に向かい雨水流路１１ｃを流れ、第１雨水止め部１１ｄに連なる第２雨水止め部１１ｇに沿って、注水部１１ｅに流れ込む。
【００３６】
集水部１１ａの第１傾斜部材１１ｂ、及び雨水流路１１ｃに降り注いだ雨水は、図７及び図９に示すように、注水部１１ｅに降り注いだ雨水と共に、第２雨水止め部１１ｇ及び第２傾斜部材１１ｆの下がり傾斜に沿って、地際部７の主柱材４の内角部に向けて注水部１１ｅを流れ、主柱材４の内角部の地際部７（主柱材４のＬ字状の内角部のコンクリート基礎部２との境界付近）に集中的に注水される。
【００３７】
そして、主柱材４の内角部の地際部７に注水された雨水は、地際部７の主柱材４によって跳ね返され、脚部１２とコンクリート基礎部２との間に設けられたスペーサ部材１３によってできた隙間を流れ、地面３に落ちて吸収される。これにより、主柱材４の内角部の地際部７（主柱材４のＬ字状の内角部のコンクリート基礎部２との境界付近）に溜まった塵芥を効率よく除去することができる。
【００３８】
このように、鉄塔１のコンクリート基礎部２に本実施形態に係る土砂堆積抑制装置１０を設置することで、降水によって雨受部１１に降り注いだ雨水を、主柱材４の内角部の地際部７、より具体的には、主柱材４のＬ字状の内角部のコンクリート基礎部２との境界付近に集中的に注水する。これにより、主柱材４の内角部の地際部７に塵芥が溜まるのを抑制することができる。
【００３９】
図１０は、鉄塔設置時において実施形態に係る土砂堆積抑制装置を設置したコンクリート基礎部周辺の鉄塔設置から所定期間経過後における上面図である。図１１は、図１０に示すＣ矢示方向から見た鉄塔設置から所定期間経過後における側面図である。図１１に示す例において、実施形態に係る土砂堆積抑制装置１０、盛土３ｂ、及び土砂３ｃは、図１０に示すＤ−Ｄ矢示断面図を示している。なお、図１０、図１１に示す例では、図２の領域ｃに示すコンクリート基礎部２の周辺を示している。
【００４０】
なお、図１０、図１１に示す例では、土砂堆積抑制装置１０の雨受部１１、脚部１２、雨受部１１を構成する集水部１１ａ、第１傾斜部材１１ｂ、雨水流路１１ｃ、第１雨水止め部１１ｄ、注水部１１ｅ、第２傾斜部材１１ｆ、第２雨水止め部１１ｇ、脚部１２の下端部１２ａ、スペーサ部材１３、及び締結部材１４の符号の記載を省略している。
【００４１】
鉄塔１の設置時においては、図７、図８、図９に示すように、コンクリート基礎部２及び土砂堆積抑制装置１０の周辺の地面３は整地されていても、図１０及び図１１に示すように、時間の経過と共に風雨によって盛土３ｂの法面が崩れる。本実施形態に係る土砂堆積抑制装置１０が設置されていない場合（図３、図４、図５、図６）、上述したように、地際部７が盛土３ｂの法面の崩落によって生じた土砂３ｃや塵芥に埋没することがある（図５、図６）。この地際部７に堆積した土砂３ｃや塵芥によって、地際部７の湿潤状態が保たれる。これにより、各主柱材４の内角部の地際部７において、主柱材４の腐食や発錆が生じる可能性がある。また、Ｌ字状の各主柱材４の内角部に溜まった土砂３ｃや塵芥の除去に手間が掛かる。
【００４２】
本実施形態に係る土砂堆積抑制装置１０を設置することで、時間の経過と共に風雨によって盛土３ｂの法面が崩れた場合でも、図１１に示すように、板状の脚部１２によって土砂３ｃが堰き止められ、地際部７が土砂３ｃに埋没することを防ぐことができる。
【００４３】
さらに、本実施形態に係る土砂堆積抑制装置１０は、雨受部１１及び脚部１２を備えたことで、雨受部１１を構成する集水部１１ａの板状の第１傾斜部材１１ｂ、及び板状の脚部１２によって、土砂３ｃに落下した雨滴の地際部７への跳ね返りを抑制できる。
【００４４】
このように、本実施形態に係る土砂堆積抑制装置１０を設置し、雨受部１１に降り注いだ雨水を、主柱材４の内角部の地際部７（主柱材４のＬ字状の内角部のコンクリート基礎部２との境界付近）に集中的に注水することで、地際部７に塵芥が溜まるのを抑制することができる。これにより、地際部７の湿潤状態が保たれることを防ぐことができ、主柱材４の腐食や発錆を抑制することができる。
【００４５】
また、時間の経過と共に風雨によって盛土３ｂの法面が崩れた場合でも、鉄塔地際部土砂堆積防止装置１０の板状の脚部１２によって地際部７が土砂３ｃに埋没することを防ぐことができる。
【００４６】
さらには、雨受部１１及び脚部１２を備えたことによって、地際部７（Ｌ字状の主柱材４の内角部のコンクリート基礎部２との境界付近）への土砂３ｃに落下した雨滴の跳ね返りを抑制できる。
【００４７】
なお、上述した実施形態において、鉄塔１の主柱材４には、断面がＬ字状となる山形鋼（アングル材）が使用される構成例を示したが、主柱材４の形状はこれに限るものではなく、例えば、パイプ状の鋼管が使用される構成であってもよい。
【００４８】
また、上述した実施形態では、脚部１２が板状の部材である例について説明したが、脚部１２の形状はこれに限るものではなく、雨受部１１を支持できる構造であれば、他の形状を採用することも可能である。例えば、脚部１２を複数本の杭で構成した場合でも、本実施形態に係る土砂堆積抑制装置１０の雨受部１１に降り注いだ雨水を、主柱材４の内角部の地際部７（主柱材４のＬ字状の内角部のコンクリート基礎部２との境界付近）に集中的に注水することによって、雨水と共に地際部７の土砂３ｃや塵芥が洗い流され、主柱材４の内角部の地際部７に塵芥が溜まるのを抑制することができる。
【００４９】
また、上述した実施形態では、雨受部１１を構成する集水部１１ａが上面視においてＬ字状の部材である構成について説明したが、集水部１１ａの形状はこれに限るものではなく、例えば、上面視において地際部７の周囲を囲う形状であってもよい。なお、この場合には、鉄塔１のメンテナンス等、作業員が鉄塔１に登って作業する際の邪魔にならないような形状とするのが望ましい。
【００５０】
以上説明したように、実施形態に係る土砂堆積抑制装置１０は、降水によって受けた雨水を、鉄塔１の主柱材４とコンクリート基礎部２との接続部分である地際部７に注水する雨受部１１と、雨受部１１を支持する脚部１２と、を備えている。より具体的には、実施形態に係る土砂堆積抑制装置１０が適用される鉄塔１は、４本の主柱材４がそれぞれ４つのコンクリート基礎部２によって地面３に支持されている。主柱材４は、Ｌ字状の断面を有し、この主柱材４のＬ字状の内角が４本の主柱材４で囲われる四角形の内角と一致している。また、雨受部１１は、上面視において主柱材４のＬ字状の内側の２辺に対向するコンクリート基礎部２の２辺に跨って設けられ、１つのコンクリート基礎部２の２辺に跨って設けられたＬ字状の集水部１１ａと、この集水部１１ａの内角部に設けられ、主柱材４の内角部の地際部７に向けて注水する注水部１１ｅとを備えている。また、集水部１１ａは、主柱材４に向けて下がり傾斜した板状の第１傾斜部材１１ｂと、第１傾斜部材１１ｂの下端部に水平に設けられた雨水流路１１ｃと、この雨水流路１１ｃの第１傾斜部材１１ｂ側とは反対側の端部に設けられ、上方に立ち上がる第１雨水止め部１１ｄとを備えている。また、注水部１１ｅは、主柱材４に向けて下がり傾斜した板状の第２傾斜部材１１ｆと、第１雨水止め部１１ｄに連なって設けられ、上方に立ち上がる第２雨水止め部１１ｇとを備えている。
【００５１】
この構成において、雨受部１１をコンクリート基礎部２の上端よりも高い位置に設け、雨受部１１が降水によって受けた雨水を地際部７に集中的に注水することで、鉄塔１の地際部７に堆積する土砂３ｃや塵芥の堆積を抑制することができる。
【００５２】
また、脚部１２を板状の部材で構成することによって、時間の経過と共に風雨によって盛土３ｂの法面が崩れた場合でも、脚部１２によって土砂３ｃが堰き止められ、地際部７が土砂３ｃに埋没することを防ぐことができる。
【００５３】
また、この脚部１２とコンクリート基礎部２との間にスペーサ部材１３を設け、締結部材１４によってコンクリート基礎２の周方向に固定することで、雨受部１１に降り注いだ雨水が脚部１２とコンクリート基礎部２との間に設けられたスペーサ部材１３によってできた隙間を流れる。これにより、主柱材４の内角部の地際部７（主柱材４のＬ字状の内角部のコンクリート基礎部２との境界付近）に溜まった塵芥を効率よく除去することができる。
【００５４】
また、雨受部１１及び脚部１２を備えた本実施形態に係る土砂堆積抑制装置１０を設置することで、土砂３ｃに落下した雨滴の地際部７への跳ね返りを抑制することができる。
【符号の説明】
【００５５】
１  鉄塔
２  コンクリート基礎部
３  地面
３ａ  水平面
３ｂ  盛土
３ｃ  土砂
４  主柱材
５  水平桁材
６  斜材
７  地際部
１０  土砂堆積抑制装置
１１  雨受部
１１ａ  集水部
１１ｂ  第１傾斜部材
１１ｃ  雨水流路
１１ｄ  第１雨水止め部
１１ｅ  注水部
１１ｆ  第２傾斜部材
１１ｇ  第２雨水止め部
１２  脚部
１２ａ  下端部（脚部）
１３  スペーサ部材
１４  締結部材
【図１】
2018053681.tif 000003
【図２】
2018053681.tif 000004
【図３】
2018053681.tif 000005
【図４】
2018053681.tif 000006
【図５】
2018053681.tif 000007
【図６】
2018053681.tif 000008
【図７】
2018053681.tif 000009
【図８】
2018053681.tif 000010
【図９】
2018053681.tif 000011
【図１０】
2018053681.tif 000012
【図１１】
2018053681.tif 000013